(57)【要約】【課題】  １または複数の利用者にとっての吉方位を分かり易く表示することができる占い表示システムを提供する。【解決手段】  占い表示システム１は、サーバ１０およびクライアント端末２０を含む。サーバ１０は、取得されたユーザー情報に従い九星気学による占いアルゴリズムに基づき利用者にとっての吉方位情報を算出する。この算出は、予め決められた数値に基づき各方位の点数化を行う。吉方位選択部２３０は、点数化された各方位のうち、閾値以上の点数を有する方位を吉方位として選択し、クライアント端末２０に吉方位情報を送信する。クライアント端末２０は、受信した吉方位情報に基づいて、現在地またはユーザーの住所を基点とした吉方位を地図上に表示する。【選択図】  図１
2018142052.tif 000002
【特許請求の範囲】
【請求項１】
サーバと、情報端末とを含む占い表示システムであって、
前記サーバは、
情報端末から利用者の入力情報を取得する取得手段と、
九星気学による占いアルゴリズムに従い、前記入力情報に基づき利用者にとっての吉方位情報を算出する算出手段と、
前記算出手段により算出された吉方位情報を前記情報端末に送信する送信手段とを有し、
前記情報端末は、
利用者の入力情報を入力する入力手段と、
前記入力情報を前記サーバに送信し、吉方位情報を要求する要求手段と、
前記サーバの送信手段から送信された吉方位情報を受信する受信手段と、
受信された吉方位情報を地図上に表示する表示手段と、
を有し、
前記表示手段は、地図上の基準地点に関する吉方位以外の地図領域を遮蔽する、占い表示システム。
【請求項２】
前記表示手段は、吉方位以外の地図領域を真っ黒に表示し、吉方位の地図領域を見え易くする、請求項１に記載の占い表示システム。
【請求項３】
前記取得手段は、複数の利用者からの入力情報をそれぞれ取得し、前記算出手段は、複数の入力情報に基づき複数の利用者にとっての複数の吉方位情報を算出し、前記表示手段は、複数の吉方位情報に基づき複数の利用者にとっての吉方位情報を同時に表示する、請求項１に記載の占い表示システム。
【請求項４】
前記表示手段は、複数の利用者の複数の吉方位情報の論理積となる吉方位を表示する、請求項３に記載の占い表示システム。
【請求項５】
前記表示手段は、前記基準地点を中心に放射状に複数の方位を設定し、前記表示手段は、前記吉方位情報に基づき複数の方位の中から少なくとも１つの吉方位を選択する、請求項１ないし４いずれか１つに記載の占い表示システム。
【請求項６】
前記基準地点は、前記入力情報に含まれる利用者の住所である、請求項１ないし５いずれか１つに記載の占い表示システム。
【請求項７】
前記算出手段はさらに、占いアルゴリズムに利用する各方位に関する数値を記憶する記憶手段を有し、前記算出手段は、利用者の入力情報に対応する数値を選択し、選択された数値に基づき吉方位情報を算出する、請求項１に記載の占い表示システム。
【請求項８】
前記記憶手段は、方位を特定するための複数の盤であって、年と盤との関係、月と盤との関係および日と盤との関係を記憶し、前記算出手段は、前記入力情報に含まれる年月日情報に基づき前記記憶手段を参照して年、月、および日に対応する盤を選択し、選択された盤により規定される各方位の数値を計算し、計算された数値に基づき基地方位を算出する、請求項７に記載の占い表示システム。
【請求項９】
前記入力情報が複数の占いたい日を含むとき、前記算出手段は、複数の占いたい日毎の吉方位情報を算出し、前記送信手段は、複数の吉方位情報を情報端末に送信し、情報端末の表示手段は、複数の吉方位情報を選択的に表示する、請求項１に記載の占い表示システム。
【請求項１０】
前記入力情報は、属性情報として氏名情報を含み、前記算出手段は、前記氏名情報に基づき前記選択された数値を可変する、請求項７または８に記載占い表示システム。
【請求項１１】
前記入力情報は、占いのカテゴリーを含み、前記記憶手段は、複数のカテゴリー毎に数値を記憶し、前記算出手段は、前記占いのカテゴリーに応じた数値を選択し、選択した数値に基づき吉方位情報を算出する、請求項７ないし１０いずれか１つに記載の占い表示システム。
【発明の詳細な説明】
【技術分野】
【０００１】
本発明は、利用者の生年月日等の属性情報に基づき算出された占いの表示方法に関し、特に吉方位の表示方法に関する。
【背景技術】
【０００２】
コンピュータやスマートフォン等の携帯端末から利用者の属性情報を入力し、所定の占いアルゴリズムに従って利用者に占い結果を提示する方法が存在する。また、占い結果と他の情報、例えば、目的地情報、宿泊情報等をリンクさせることも行われている。例えば、特許文献１は、吉方位に含まれる宿泊先候補の中から、旅行者の名前等と相性が良い宿泊先候補を検索し、その検索結果を表示する吉方旅行検索システムを開示している。
【先行技術文献】
【特許文献】
【０００３】
【特許文献１】特開２００７−１８３８７３号公報
【発明の概要】
【発明が解決しようとする課題】
【０００４】
しかしながら、特許文献１の吉方旅行検索システムは、吉方位の宿泊先候補を提示するだけであり、利用者にとっては、宿泊先以外にも相性、縁起、幸運などの情報を知りたい場合がある。さらに、スマートフォン等の携帯端末を利用する場合には、表示画面のサイズも限られるため、一見して認識し易い表示であることが求められる。
【０００５】
本発明は、このような従来の課題を解決するものであり、利用者にとっての吉方位を分かり易く表示することができる占い表示システムを提供することを目的とする。
【課題を解決するための手段】
【０００６】
本発明に係る占い表示システムは、サーバと、情報端末とを含むものであって、前記サーバは、情報端末から利用者の属性情報を取得する取得手段と、九星気学による占いアルゴリズムに従い、前記属性情報に基づき利用者にとっての吉方位情報を算出する算出手段と、前記算出手段により算出された吉方位情報を前記情報端末に送信する送信手段とを有し、前記情報端末は、利用者の属性情報を入力する入力手段と、前記属性情報を前記サーバに送信し、吉方位情報を要求する要求手段と、前記サーバの送信手段から送信された吉方位情報を受信する受信手段と、受信された吉方位情報を地図上に表示する表示手段と、を有し、前記表示手段は、地図上の基準地点に関する吉方位以外の地図領域を遮蔽する。
【０００７】
好ましくは前記表示手段は、吉方位以外の地図領域を真っ黒に表示し、吉方位の地図領域を見え易くする。好ましくは前記取得手段は、複数の利用者からの属性情報をそれぞれ取得し、前記算出手段は、複数の属性情報に基づき複数の利用者にとっての複数の吉方位情報を算出し、前記表示手段は、複数の吉方位情報に基づき複数の利用者の吉方位情報を同時に表示する。好ましくは前記表示手段は、複数の利用者の複数の吉方位情報の論理積となる吉方位以外の地図領域を遮蔽する。好ましくは前記表示手段は、前記基準地点を中心に放射状に複数の方位を設定し、前記表示手段は、前記吉方位情報に基づき複数の方位の中から少なくとも１つの吉方位を選択する。好ましくは前記基準地点は、前記属性情報に含まれる利用者の住所である。好ましくは前記算出手段はさらに、占いアルゴリズムに利用する各方位の数値を記憶する記憶手段を有し、前記算出手段は、利用者の属性情報に対応する数値を選択し、選択された数値に基づき吉方位情報を算出する。好ましくは前記属性情報は時間情報を含み、前記算出手段は、前記時間情報に基づき決定されたパラメータにより前記選択された数値を可変する。好ましくは前記属性情報は氏名情報を含み、前記算出手段は、前記氏名情報に基づき決定されたパラメータにより前記選択された数値を可変する。好ましくは前記属性情報は生年月日情報を含み、前記算出手段は、前記生年月日情報に基づき決定されたパラメータにより前記選択された数値を可変する。好ましくは前記属性情報は、占いのカテゴリーを含み、前記記憶手段は、複数のカテゴリー毎に数値を記憶し、前記算出手段は、前記属性情報に含まれる占いのカテゴリーに応じた数値を選択し、選択した数値に基づき吉方位情報を算出する。
【発明の効果】
【０００８】
本発明によれば、九星気学による占いアルゴリズムに基づき利用者にとっての吉方位情報を算出し、算出された吉方位情報を地図上に表示することで、利用者は、吉方位を容易に視認することができる。さらに複数の利用者にとっての吉方位を同時に表示させるようにしたので、複数の利用者にとっての吉方位を容易に視認することができる。
【図面の簡単な説明】
【０００９】
【図１】本発明の実施の形態に係る吉方位の表示を例示する図である。
【図２】本発明の実施の形態に用いる占いを説明する図である。
【図３】本発明の第１の実施例に係る表示システムの構成を示す図である。
【図４】本発明の第１の実施例に係るサーバの構成を示すブロック図である。
【図５】本発明の第１の実施例に係るユーザー情報の記憶例を示す図である。
【図６】本発明の第１の実施例に係る点数情報の記憶例を示す図である。
【図７】年情報に関連した盤を記憶する図である。
【図８】年月情報に関連した盤を記憶する図である。
【図９】年月日情報に関連した盤を記憶する図である。
【図１０】本発明の第１の実施例に係る吉方位算出プログラムの機能的な構成例を示す図である。
【図１１】本発明の第１の実施例に係る吉方位の算出方法を具体的に示す図である。
【図１２】本発明の第１の実施例に係る占いの点数を示す表である。
【図１３】本発明の第１の実施例に係る占い部で行っているシステム的な処理を盤で示した図である。
【図１４】本発明の第１の実施例に係るクライアント端末の構成を示す図である。
【図１５】本発明の第１の実施例に係るサーバに占い処理を要求するプログラムの機能的な構成例を示す図である。
【図１６】本発明の第１の実施例に係る表示システムの動作を示すフローである。
【図１７】本発明の第１の実施例に係るクライアント端末の占い結果の表示例である。
【図１８】本発明の第１の実施例に係るクライアント端末の占い結果の表示例である。
【図１９】本発明の第１の実施例に係るクライアント端末の占い結果の表示例である。
【図２０】本発明の第２の実施例に係るクライアント端末の占い結果の表示例である。
【図２１】本発明の第２の実施例に係るクライアント端末の占い結果の表示例である。
【発明を実施するための形態】
【００１０】
次に、本発明の実施の形態について図面を参照して詳細に説明する。本発明の実施の形態に係る表示システムは、コンピュータ装置、スマートフォン等に代表される多機能型の携帯端末、タブレット型端末等をクライアント用の端末に用い、ネットワーク等を介して占いをシステム的に実行するサーバにアクセスし、そこから占い情報を受信して表示するものである。好ましい態様では、クライアント端末からブラウザを介してサーバ上のホームページを閲覧し、そこから吉方位の占い情報を取得したり、あるいはクライアント端末に占い専用のアプリケーションをインストールし、当該アプリケーションを実行させることでサーバと連携し、サーバから吉方位の占い情報を取得する。
【００１１】
ホームページやアプリケーションの指示に従い、クライアント端末を有する利用者は、属性情報として、自身の氏名、生年月日、住所等を入力する。入力された属性情報は、サーバに提供され、サーバは、九星気学のアルゴリズムに従い、入力された属性情報に応じた利用者の吉方位を算出する。サーバは、占い結果をクライアント端末に送信し、クライアント端末は、受信した占い結果、つまり吉方位を表示画面に表示する。好ましい態様では、クライアント端末の表示画面には、地図が表示され、その地図上に吉方位が重畳され、吉方位以外の地図領域が遮蔽される。遮蔽方法は、特に限定されないが、例えば、吉方位以外の地図領域が見難くなるように真っ黒な色で表示されたり、あるいは吉方位以外の地図領域が透過できなくなるように表示してもよい。
【００１２】
ここで、吉方位とは、九星気学に基づき算出されるものであり、利用者にとって、縁起の良い、相性が良い、または、幸運があると思われる方位を意味する。図１は、本発明の実施の態様における１つの吉方位の表示例ある。図１（Ａ）に示すように、クライアント端末の表示画面には、地図データと共に占い結果を表示する第１の画面、メニューを表示する第２の画面、キャラクター等を表示する第３の画面があり、吉方位は第１の画面に表示される。例えば、占い結果により「北」が吉方位と判定されれば、図１（Ｂ）に示すように、直線Ｌ１およびＬ２で囲まれた方位が吉方位となり、その他の方位は、例えば、薄い黒画面とすることで、吉方位以外の地図が事実上遮蔽され、吉方位の地図領域が強調表示される。図１（Ｂ）に示す基準地点Ｐは、吉方位を表示する際の基点となる地点であり、基準地点Ｐの周辺地図が表示画面に表示される。基準地点Ｐは、１つの例では、利用者の属性情報に含まれる住所である。但し、基準地点Ｐは、その他の位置に変更することも可能であり、例えば、利用者が入力した位置に変更したり、あるいは、クライアント端末がＧＰＳ受信機能を備えてる場合には、ＧＰＳ信号に基づき算出されるクライアント端末の位置を基準位置Ｐにすることも可能である。
【００１３】
次に、本発明の実施の形態に用いる九星気学について説明する。図２は、九星気学の占いを説明する図である。「九星気学」という占いでは、利用者の属性情報である生年月日を用いて、生まれた年から「本命星」を確定し、生まれた月から「月命星」を確定するものである。図２の９つの盤は、本命星や月命星に対応するものであり、それぞれの盤は、八方位に区分されており、八方位の中から１または複数の吉方位が算出される。中央の盤が基本星を表しており、中央に「五」が示される。中央の「五」の周囲に８つの数字が配置され、それらの数字の方向に、対応する盤が配置される。ここで、便宜上、盤の中央に示される数字により、盤「一」、盤「二」、…盤「八」、盤「九」の区別を行う。例えば、基本星の盤「五」の「八」の方向には、盤「八」が配置され、基本星の盤「五」の「三」の方向には、盤「三」が配置される。
【００１４】
また、それぞれの盤により、好ましくない方位として「暗剣殺」や「五黄殺」なる方位が規定される。本発明の実施の形態においては、「本命星」や「月命星」の相性や「暗剣殺」等の好ましくない方位等を考慮して各方位を点数化し、予め決められた点数以上となった方位を吉方位としてユーザーに提供する。
【実施例】
【００１５】
次に、本発明の第１の実施例について図を用いて詳細に説明する。図３は、第１の実施例に係る表示システムの構成を示す図である。本実施例に係る表示システム１は、システム的な占いを行うサーバ１０、パーソナルコンピュータ２０Ａやスマートフォン２０Ｂ等の携帯型端末を含むクライアント端末２０を含んで構成される。サーバ１０およびクライアント端末２０は、無線または有線の通信３０により、双方向のデータの送受が可能である。
【００１６】
図４は、本実施例に係るサーバの構成を示すブロック図である。サーバ１０は、記憶部１００、通信部１１０、および制御部１２０を含んで構成される。記憶部１００は、制御部１２０が実行するアプリケーションソフトウエアやプログラム、占いに使用される地図データ等を記憶することができる。地図データは、例えば、道路、交差点、施設、その他の種々の情報を含むことが可能である。
【００１７】
また、記憶部１００は、占いに必要な各種情報を記憶することができる。第１に、占いを行う利用者の属性情報を記憶することができる。図５は、ユーザー情報（属性情報）の記憶例を示す図である。ユーザー情報としては、ユーザーに固有の「ユーザーＩＤ」、ログイン等に必要な「アカウント名」、「氏名」、「住所」、「生年月日」、生年月日から算出されたユーザーの「本命星」が記憶される。「本命星」の算出方法は、占い方法に従ってシステム的に算出されるものであり、例えば、ユーザーの生まれ年と９種の本命星を紐づけたデータベースを予め用意しておき、入力されたユーザーの生まれ年に対応する「本命星」を算出することができる。なお、ユーザー情報は、図５に示された項目のみならず、ユーザーのメールアドレス等、他の情報を記憶するようにしても良い。また、図５に示すユーザー情報は、後述するクライアント端末の入力を介して登録されるものである。ユーザー情報は、ユーザーが最初にサーバにアクセスしたときに登録され、その後、ユーザーからの指示に応じて変更、削除することが可能である。
【００１８】
第２に、記憶部１００は、占いたい日付情報に基づいて各方位（北、北東、東、南東、南、南西、西、北西の８方位）の点数を算出するための点数情報を記憶することができる。図６は、第１の実施例に係る点数情報の記憶例を示す図である。点数情報には、ユーザーの本命星に関連づく「本命星」、占いたい日付情報に基づいて選択される「盤」、８方位を示す「方位」、各方位の点数を示す「合計」、好ましくない方位を記憶する「備考」の情報を有する。なお、点数情報は、図６に示された項目のみならず、他の項目を含むようにしても良い。
【００１９】
第３に、記憶部１００は、入力された「占いたい日付情報」に対応した「盤」を記憶する盤の情報を記憶することができる。図７は、年情報に関連した盤を記憶する図であり、図８は、年月情報に関連した盤を記憶する図であり、図９は、年月日情報に関連した盤を記憶する図である。詳細は後述するが、「占いたい日付情報」が「２０１１年６月５日」であった場合、年情報に基づき図７からは盤「七」が選択され、月情報に基づき図８からは盤「四」が選択され、日情報に基づき図９からは盤「五」が選択される。
【００２０】
通信部１１０は、クライアント端末２０とネットワーク等を介して通信３０を行う機能を有しており、クライアント端末２０とのデータ送受を媒介する。制御部１２０は、好ましい態様では、ＲＯＭ、ＲＡＭなどを含むマイクロコントローラ等から構成され、ＲＯＭまたはＲＡＭは、サーバ１０の各部の動作を制御するための種々のプログラムを格納することができる。第１の実施例では、制御部１２０は、クライアント端末２０から提供されるユーザー情報や入力情報に基づいて占いを行い、占い結果である吉方位を示した地図データをクライアント端末２０に返信する吉方位算出プログラムを実行する。
【００２１】
図１０は、第１の実施例に係る吉方位算出プログラムの機能的な構成例を示す図である。吉方位算出プログラム２００は、入力情報取得部２１０、占い部２２０、吉方位選択部２３０、吉方位情報作成部２４０、吉方位情報送信部２５０を含んで構成される。
【００２２】
入力情報取得部２１０は、クライアント端末２０からユーザーが入力した属性情報やその他、占いたい日付け等の入力を取得する。属性情報に関しては、図５に示すように記憶部１００に登録される。
【００２３】
占い部２２０は、入力情報取得部２１０によって取得された情報に基づき、吉方位を算出するための処理を行う。占い部２２０は、先ず、ユーザーの属性情報に含まれる生年月日に基づきユーザーの本命星を算出する。これは、九星気学によるものであり、例えば、生年月日と本命星との対応関係が記憶部１００に格納され、占い部２２０は、これを参照して本命星を決定し、本命星との関係から、占いたい日時の吉方位等を算出する。
【００２４】
図１１に、吉方位の算出方法を具体的に示す図である。ユーザーの生まれた年が１９９０年と仮定すると、その本命星が「一」である。また、占いたい日付が「２０１１年６月６日」と仮定すると、占い部２２０は、「２０１１」をキーに図７を参照し、２０１１に対応する盤「七」を選択する。すると、本命星「一」に対し盤「七」が選択されるため、図６の点数情報を元に、各方位の点数を算出することができる。次に、「２０１１年６月」をキーに図８を参照し、２０１１年６月に対応する盤「四」を参照する。この場合には、年で選択された盤「七」に対して盤「四」が選択されるため、図６の点数情報を元に、各方位の点数を算出することができる。最後に「２０１１年６月６日」をキーに図９を参照し、盤「五」が選択され、その場合の各方位の点数を算出する。そして、「暗剣殺」および「五黄殺」の方位を考慮して、各方位の合計値が算出される。
【００２５】
次に、占い部２２０で行っているシステム的な処理を図２に示した盤および図１２示す表を用いて説明する。図１１において、年情報に基づいて盤「七」が選択されるが、この選択動作は、図２に示した盤から１つの盤を選択する動作にあたり、つまり、盤「七」が選択される。そして、盤「七」と、基本星の盤「五」とが重ねられる。ユーザーは、本命星が「一」の一白であるため、盤「七」の「一」の方位と、それに対応する基本星の「八」との組合せが得られる。図１２のオリジナル点数表に基づき、年「一」と月「八」との組合せから、−５０点が算出される。
【００２６】
月情報に基づいて盤「四」が選択される。この場合、年により選択された盤「七」と、月により選択された盤「四」とが重ねられる。ユーザーは、本命星が「一」の一白であるため、年により選択された盤「七」の「一」と、月により選択された盤「四」の対応する「七」との組合せが得られる。図１２のオリジナル点数表に基づき、年「一」と月「七」との組合せから、７５点が算出される。
【００２７】
日情報に基づいて、盤「五」が選択される。この場合、年により選択された盤「七」と、日により選択された盤「五」とが重ねられる。ユーザーの本命星が「一」の一白であるため、年により選択された盤「七」の「一」と、日により選択された盤「五」の対応する「七」との組合せが得られる。図１２のオリジナル点数表に基づき、年「一」と月「七」との組合せから、７５点が算出される。
【００２８】
こうして、一白の方位の合計は、−５０＋７５−５０＝−２５点となる。この結果、ユーザーにとっての一白の方位は、あまり良くないことがわかる。また、他の７つの方位についても同様に点数が算出される。
【００２９】
図１３（Ａ）ないし（Ｃ）は、占いたい日付の年情報に基づいて盤「二」、「八」、「八」が選択されたときの各方位の点数を示している。なお、暗剣殺、五黄殺、本命的殺や、その他図示していない好ましくない方位である場合には、図１２の点数をそのまま用いずに、図１１等で示したように、算出された点数に予め決められた値（−１００、−２００等）を考慮して、各方位の点数が算出される。
【００３０】
吉方位選択部２３０は、占い部２２０によって算出された各方位の合計値に基づき吉方位を選択する。吉方位の選択方法は、例えば、予め決められた閾値以上の合計値を有する方位を吉方位として選択することができる。例えば、図１１に示す例で、閾値を２００に設定したとき、「北」と「西」が吉方位として選択される。
【００３１】
吉方位情報作成部２４０は、吉方位選択部２３０によって選択された吉方位が地図データ上に重畳されるように吉方位情報を作成する。１つの例では、ユーザーの属性情報である住所を基準地点とする周辺地図と、当該周辺地図の吉方位以外の地図領域をマスキングするマスク情報とが合成される。この吉方位情報は、図１（Ｂ）に示したように、クライアント端末２０の表示画面に表示される。マスキング情報は、吉方位を除く方位を遮蔽するような色情報（例えば、黒、青、茶色など）を含む。吉方位情報作成部２４０によって作成される情報は、換言すれば、占い結果を表す情報である。吉方位情報送信部２５０は、吉方位情報作成部２４０によって作成された吉方位情報を、通信３０を介してクライアント端末２０に送信する。
【００３２】
次に、クライアント端末について説明する。図１４は、クライアント端末の構成を示す図である。クライアント端末２０は、入力部３００、記憶部３１０、通信部３２０、表示部３３０、制御部３４０を含んで構成される。好ましい態様では、クライアント端末２０は、スマートフォンのような多機能型携帯電話であることができる。なお、図１４に示す構成は一例であり、他の機能、例えば、ＧＰＳ通信を用いてクライアント端末２０の現在地を算出する位置算出機能、位置算出機能に基づいて算出された現在地から目的地までの経路を案内するナビゲーション機能等を含むようにしても良い。
【００３３】
入力部３００は、入力キーデバイス、音声入力認識装置、タッチパネルなどにより、ユーザーからの入力情報を受け取り、これを制御部３４０へ提供する。入力情報は、例えば、ユーザーの属性情報や、占いたい日付、あるいは占いに必要なその他の情報である。記憶部３１０は、制御部３４０が実行するアプリケーションソフトウエアやプログラム、地図データ等を記憶することができる。通信部３２０は、サーバ１０との間で通信３０を行う機能を有しており、サーバ１０との間でデータの送受を行う。表示部３３０は、ディスプレイ等の表示媒体から構成され、地図データと共に占い結果を表示することができる。制御部３４０は、好ましい態様では、ＲＯＭ、ＲＡＭなどを含むマイクロコントローラ等から構成され、ＲＯＭまたはＲＡＭは、サーバ１０の各部の動作を制御するための種々のプログラムを格納することができる。第１の実施例では、制御部３４０は、サーバ１０に占い処理を要求し、占い結果を表示するプログラムを実行する。
【００３４】
図１５は、サーバに占い処理を要求するプログラムの機能的な構成例を示す図である。本実施例に係るプログラム４００は、ユーザー情報提供部４１０、吉方位情報要求部４２０、吉方位情報表示部４３０を含んで構成される。ユーザー情報提供部４１０は、入力部３００からユーザーにより入力された入力情報をサーバ１０に提供する。サーバ１０に提供された入力情報は、図５に示すユーザー情報として登録されたり、吉方位算出プログラム２００の吉方位算出処理に使用されたりする。吉方位情報要求部４２０は、サーバ１０に対して、吉方位を算出し、吉方位情報を送信するように要求する。ユーザー情報は、予めサーバ１０に登録しておけるような固定情報であるが、占いたい日付情報は随時変わるため、吉方位情報要求部４２０の要求と併せて、占いたい日付情報を送信するようにしても良い。吉方位情報要求部４２０は、例えば、ユーザーから占いたい日付けの情報が入力され、当該入力情報がサーバ１１０に提供されたとき、サーバ１０に吉方位情報の要求を行うことができる。サーバ１０の吉方位算出プログラム２００は、吉方位情報要求部４２０の要求により、処理を開始することができる。
【００３５】
吉方位情報表示部４３０は、吉方位情報送信部２５０から送信された吉方位情報に基づき、表示部３３０に吉方位情報を表示する。図１（Ｂ）は、１つの表示態様である。
【００３６】
次に、本実施例による表示システム１の全体の動作について図１６に示すフローを参照して説明する。表示システムは、まず、クライアント端末２０のユーザー情報提供部４１０からサーバ１０に対してユーザー情報等の送信を行う（Ｓ１００）。なお、Ｓ１００のステップは、いわゆるアカウント登録（会員登録）のような形式で、図５に示すようなユーザー情報を送信するものであっても良い。次に、吉方位情報要求部４２０は、サーバ１０に対して吉方位情報の要求を行う（Ｓ１０２）。なお、Ｓ１００で占いたい日付情報がサーバ１０に送信されていない場合は、Ｓ１０２のステップで占いたい日付情報をサーバ１０に送信することができ、このとき、クライアント端末２０の現在地情報を送信するようにしても良い。サーバ１０は、Ｓ１００で提供されたユーザー情報またはアカウント登録等により既にサーバ１０の記憶部１００に記憶されているユーザー情報を取得し、併せて占いたい日付情報を取得する（Ｓ１０４）。占い部２２０は、Ｓ１０４で取得した占いたい日付情報に基づき、図１１等に示すような方法を用いて各方位の合計点数を算出する（Ｓ１０６）。吉方位選択部２３０は、Ｓ１０６で算出された合計点数のうち、予め決められた値以上の点数を有する方位を吉方位として選択し（Ｓ１０８）、吉方位情報作成部２４０は、Ｓ２３０で選択された吉方位情報、地図データ、ユーザーの住所、クライアント端末２０の現在地等の情報に基づいて吉方位情報を作成する（Ｓ１１０）。１つの例では、吉方位情報作成部２４０は、ユーザーの住所を基準地点とする周辺地図上に吉方位以外の領域を遮蔽する吉方位情報を作成する。この際、吉方位を示すテキスト情報を含めるようにしてもよい。吉方位情報送信部２５０は、Ｓ２４０で作成された吉方位情報を要求のあったクライアント端末２０に送信し（Ｓ１１２）、クライアント端末２０は、吉方位情報表示部４３０を実行して表示部３３０に吉方位を表示する（Ｓ１１４）。
【００３７】
Ｓ１１４で表示する吉方位は、図１（Ｂ）に示したような１方位を示すものであっても良いし、吉方位選択部２３０によって複数の吉方位が選択されたのであれば、図１７に示すように、複数（２以上）の吉方位を表示するものであっても良い。図１７は、直線Ｌ３およびＬ４で定義される北の吉方位、直線Ｌ５およびＬ６で定義される南の吉方位を、クライアント端末２０の表示部３３０に表示する例を示している。また、この例では、基準地点Ｐは、ユーザーの属性情報に含まれる住所である。
【００３８】
第１の実施例においては、占い部２２０は、入力された「占いたい日付情報」に基づいて占い処理を行うが、「占いたい日付情報」を基準として、一定期間、例えば、一週間分の占い処理を行うようにしても良い。例えば、「占いたい日付情報」として「２０１１年６月５日」が入力された場合、「２０１１年６月５日」、「２０１１年６月６日」、「２０１１年６月７日」、「２０１１年６月８日」、「２０１１年６月９日」、「２０１１年６月１０日」、「２０１１年６月１１日」をそれぞれ「占いたい日付情報」として占い処理を行う。この場合、複数の日の吉方位が存在するのであれば、吉方位を表示させる前に、図１８に示すような選択表示３３２を表示部３３０に表示し、入力部３００から表示したい日付を選択して、所望の日付の吉方位を表示させることができる。
【００３９】
次に、本実施例の変形例について説明する。上記実施例では、占い部２２０により吉方位を算出したが、変形例は、入力部３００から占いを行いたいカテゴリー、例えば、「引っ越し」、「ギャンブル」、「ビジネス」、「旅行」、「レジャー」等を入力し、吉方位情報要求部４２０の要求と同時に占いたいカテゴリー情報をサーバ１０に提供する。この場合、占い部２２０は、各カテゴリーに基づいた処理を行う。カテゴリーに基づいた処理を図１１を用いて説明する。例えば、カテゴリーが「ギャンブル」であった場合、その日その日の情報である年月日情報が重要であるといえるから、図１１の「２０１１年６月６日」の列の値をすべて９０％（０．９倍）し、「２０１１年」の列を３０％（０．３倍）し、「２０１１年６月」の列を６０％（０．６倍）して、傾斜数値にすることができる。また、カテゴリーに基づいて、図６や図１２の固定数値の値を変更するようにしても良い。
【００４０】
また、図１の「メニュー画面」の位置に既存の検索エンジンをカスタマイズし、吉方位内に存在する施設を地図データ上にマッピングすることも可能である。例えば、図１９で示すように、「旅館」を検索すれば、表示部３３０に表示された地図データ上に旅館がマッピングされる。これにより、図１９に示すように、吉方位に含まれる旅館Ａおよび旅館Ｂを即座に認識することができる。また、入力部３００からカテゴリーが入力されたとき、吉方位情報作成部２４０は、地図データに含まれる施設情報の中からカテゴリーに該当する施設を選択するようにしてもよい。例えば、カテゴリーとして「レジャー」が選択されたならば、地図データに含まれるレジャー施設を選択し、吉方位内に含まれるレジャー施設を含む吉方位情報を作成するようにしてもよい。
【００４１】
次に、本発明の第２の実施例について図を用いて説明する。第１の実施例では、一人のユーザーにとっての吉方位を算出するものであったが、第２の実施例では、複数のユーザーにとっての吉方位の表示方法について説明する。なお、第２の実施例における表示システム１、サーバ１０、クライアント端末２０の機能や構成等は、第１の実施例で示した機能や構成等を含むことができる。
【００４２】
本実施例に係る吉方位算出プログラム２００は、複数のユーザーの吉方位を算出することができる。ここでは、２人のユーザーにとっての吉方位を算出する例をする。入力ユーザー情報取得部２１０は、クライアント端末２０から２人のユーザーの入力情報または予め登録されたユーザー情報（図５参照）を取得する。占い部２２０は、それぞれのユーザーの入力情報に基づき、第１の実施例で示したときと同様の占い処理を実行する。すなわち、吉方位選択部２３０は、各ユーザーにとっての吉方位を選択し、吉方位情報作成部２４０は、吉方位選択部２３０によって選択された各ユーザーにとっての吉方位を考慮した吉方位情報を作成する。好ましい態様、吉方位情報作成部２３０は、各ユーザーにとっての吉方位の論理積を求め、その結果、全てのユーザーにとっての吉方位情報を作成する。図２０は、２人のユーザーにとっての吉方位情報の例示である。例えば、第１のユーザーの住所をＰａ、第２のユーザーの住所をＰｂとし、第１のユーザーの吉方位が直線Ｌ９とＬ１０で囲まれた方位、第２のユーザーの吉方位が直線Ｌ１１とＬ１２で囲まれた方位とすると、吉方位情報作成部２３０は、第１のユーザーと第２のユーザーにとっての共通の吉方位である領域Ａを論理積により求める。そして、領域Ａを除く他の領域を遮蔽するようなマスク情報を作成し、これにより、図２０に示すような吉方位情報が作成される。吉方位情報送信部２５０は、吉方位情報作成部２４０で作成された吉方位情報をクライアント端末２０に送信し、クライアント端末２０は、送信された吉方位情報に基づいて、複数のユーザーにとっての吉方位を同時に表示することができる。
【００４３】
２人のユーザーの吉方位の表示の変形例として、図２１に示す例もある。同図に示すように、Ｌ１３とＬ１６が平行になる場合には、Ｌ１３とＬ１６で規定される平行領域が吉方位となる。
【００４４】
以上、本発明の好ましい実施の形態について詳述したが、本発明は、特定の実施形態に限定されるものではなく、特許請求の範囲に記載された本発明の要旨の範囲内において、種々の変形・変更が可能である。
【符号の説明】
【００４５】
１：表示システム                        １０：サーバ
２０：クライアント端末                  ２０Ａ：パーソナルコンピュータ
２０Ｂ：スマートフォン                      ３０：通信
１００：記憶部                            １１０：通信部
１２０：制御部                            ２００：吉方位算出プログラム
２１０：ユーザー情報取得部                ２２０：占い部
２３０：吉方位選択部                      ２４０：吉方位情報作成部
２５０：吉方位情報送信部                  ３００：入力部
３１０：記憶部                            ３２０：通信部
３３０：表示部                            ３３２：選択表示
３３４：選択表示                          ３４０：制御部
４００：プログラム                        ４１０：ユーザー情報提供部
４２０：吉方位情報要求部                  ４３０：吉方位情報表示部
【図１】
2018142052.tif 000003
【図２】
2018142052.tif 000004
【図３】
2018142052.tif 000005
【図４】
2018142052.tif 000006
【図５】
2018142052.tif 000007
【図６】
2018142052.tif 000008
【図７】
2018142052.tif 000009
【図８】
2018142052.tif 000010
【図９】
2018142052.tif 000011
【図１０】
2018142052.tif 000012
【図１１】
2018142052.tif 000013
【図１２】
2018142052.tif 000014
【図１３】
2018142052.tif 000015
【図１４】
2018142052.tif 000016
【図１５】
2018142052.tif 000017
【図１６】
2018142052.tif 000018
【図１７】
2018142052.tif 000019
【図１８】
2018142052.tif 000020
【図１９】
2018142052.tif 000021
【図２０】
2018142052.tif 000022
【図２１】
2018142052.tif 000023
【手続補正書】
【提出日】平成29年8月30日(2017.8.30)
【手続補正１】
【補正対象書類名】特許請求の範囲
【補正対象項目名】全文
【補正方法】変更
【補正の内容】
【特許請求の範囲】
【請求項１】
サーバと、情報端末とを含む占い表示システムであって、
前記サーバは、
情報端末から利用者の入力情報を取得する取得手段と、
九星気学による占いアルゴリズムに従い、前記入力情報に基づき利用者にとっての吉方位情報を算出する算出手段と、
前記算出手段により算出された吉方位情報を前記情報端末に送信する送信手段とを有し、
前記情報端末は、
利用者の入力情報を入力する入力手段と、
前記入力情報を前記サーバに送信し、吉方位情報を要求する要求手段と、
前記サーバの送信手段から送信された吉方位情報を受信する受信手段と、
受信された吉方位情報を地図上に表示する表示手段と、
を有し、
前記表示手段は、地図上の基準地点に関する吉方位以外の地図領域を遮蔽し、
前記サーバはさらに、占いアルゴリズムに利用する情報を記憶する記憶手段を含み、前記記憶手段は、基本星と八方位を特定する九つの盤と、年、月、および日との関係を記憶し、さらに生まれた年から決定される九つの本命星と前記九つの盤の八方位との間の数値と好ましくない方位とを規定した点数情報を記憶し、
前記算出手段は、前記入力情報に含まれる年月日情報に基づき前記記憶手段を参照して年、月および日に対応する盤を選択し、選択された盤により規定される各方位の数値を計算し、計算された数値が閾値以上である方位を吉方位として選択する、占い表示システム。
【請求項２】
前記好ましくない方位は、暗剣殺、五黄殺または本命的殺を含み、前記算出手段は、方位が暗剣殺、五黄殺または本命的殺であるとき、計算された数値から予め決められた値を減算する、請求項１に記載の占い表示システム。
【請求項３】
前記数値は、月家九星と年家九星との各方位の関係を数値化したオリジナル点数表に基づき算出されたものである、請求項１に記載の占い表示システム。
【請求項４】
前記表示手段は、吉方位以外の地図領域を真っ黒に表示し、吉方位の地図領域を見え易くする、請求項１に記載の占い表示システム。
【請求項５】
前記取得手段は、複数の利用者からの入力情報をそれぞれ取得し、前記算出手段は、複数の入力情報に基づき複数の利用者にとっての複数の吉方位情報を算出し、前記表示手段は、複数の吉方位情報に基づき複数の利用者にとっての吉方位情報を同時に表示する、請求項１に記載の占い表示システム。
【請求項６】
前記表示手段は、複数の利用者の複数の吉方位情報の論理積となる吉方位を表示する、請求項５に記載の占い表示システム。
【請求項７】
前記表示手段は、前記基準地点を中心に放射状に複数の方位を設定し、前記表示手段は、前記吉方位情報に基づき複数の方位の中から少なくとも１つの吉方位を選択する、請求項１ないし６いずれか１つに記載の占い表示システム。
【請求項８】
前記基準地点は、前記入力情報に含まれる利用者の住所である、請求項１ないし７いずれか１つに記載の占い表示システム。
【請求項９】
前記入力情報が複数の占いたい日を含むとき、前記算出手段は、複数の占いたい日毎の吉方位情報を算出し、前記送信手段は、複数の吉方位情報を情報端末に送信し、情報端末の表示手段は、複数の吉方位情報を選択的に表示する、請求項１に記載の占い表示システム。
【請求項１０】
前記入力情報は、属性情報として日付け情報を含み、前記算出手段は、前記日付け情報に基づき前記選択された数値を可変する、請求項７または８に記載占い表示システム。
【請求項１１】
前記入力情報は、占いのカテゴリーを含み、前記記憶手段は、複数のカテゴリー毎に数値を記憶し、前記算出手段は、前記占いのカテゴリーに応じた数値を選択し、選択した数値に基づき吉方位情報を算出する、請求項１に記載の占い表示システム。